(57)【要約】      （修正有）【課題】う蝕に罹患しやすい歯を高精度に予測するシステムを提供する。【解決手段】本発明のう蝕リスク予測システム（う蝕予測システム）１は、ユーザの歯磨きに関する情報である歯磨き情報及びユーザの歯列に関する情報である歯列情報の少なくともいずれか一方を含んだ口腔情報を取得する取得部１１と、取得部１１によって取得された口腔情報に基づいて、ユーザの各歯のう蝕リスクを算出する算出部１３と、算出部１３によって算出された、各歯のう蝕リスクを出力する出力部１４と、を備える。【選択図】図１
2019036188.tif 000002
【特許請求の範囲】
【請求項１】
ユーザの歯磨きに関する情報である歯磨き情報、及び、ユーザの歯列に関する情報である歯列情報の少なくともいずれか一方を含んだ口腔情報を取得する取得部と、
前記取得部によって取得された前記口腔情報に基づいて、ユーザの各歯のう蝕リスクを算出する算出部と、
前記算出部によって算出された、各歯の前記う蝕リスクを出力する出力部と、を備えるう蝕予測システム。
【請求項２】
前記取得部は、
前記歯磨き情報として、各歯の磨き度合いを示す情報を取得し、
前記歯列情報として、口腔内の叢生の有無及び空隙の有無の少なくともいずれか一方に関する情報を取得し、
前記算出部は、前記磨き度合いが低く、前記叢生が存在し、前記空隙が存在する歯ほど、前記う蝕リスクを高く算出する、請求項１記載のう蝕予測システム。
【請求項３】
前記取得部は、
ユーザの飲食に関する情報である飲食情報を含んだ前記口腔情報を取得し、
前記飲食情報として、所定期間内における飲食の回数を取得し、
前記算出部は、前記飲食の回数が多いほど、前記う蝕リスクを高く算出する、請求項１又は２記載のう蝕予測システム。
【請求項４】
前記取得部は、
前記歯磨き情報として、歯磨きを実施した時刻を取得し、
前記飲食情報として、飲食を実施した時刻を取得し、
前記算出部は、前記飲食を実施した時刻と、該飲食を実施した時刻以降の最初の前記歯磨きを実施した時刻との差が大きいほど、前記う蝕リスクを高く算出する、請求項３記載のう蝕予測システム。
【請求項５】
前記取得部は、ユーザの各歯のう蝕の度合いを示す情報を取得し、
前記算出部は、前記う蝕の度合いが所定値よりも低い歯についてのみ、前記う蝕リスクを算出する、請求項１〜４のいずれか一項記載のう蝕予測システム。
【発明の詳細な説明】
【技術分野】
【０００１】
本発明は、う蝕予測システムに関する。
【背景技術】
【０００２】
う蝕の罹患し易さを示すう蝕リスクを導出する手法として、ユーザの唾液、年齢、性別、喫煙の有無に関する情報を用いた算出法がある（例えば特許文献１参照）。当該手法では、ユーザの唾液等の情報に基づいて、ユーザの口腔全体のう蝕リスクを算出している。
【先行技術文献】
【特許文献】
【０００３】
【特許文献１】国際公開第ＷＯ２０１２／０９０９９５号
【発明の概要】
【発明が解決しようとする課題】
【０００４】
ここで、一般的には、同一ユーザの口腔内であっても、う蝕に罹患し易い歯と、う蝕に罹患しにくい歯とが存在している。ユーザは、う蝕に罹患し易い歯を事前に把握することによって、該う蝕に罹患し易い歯を重点的に歯磨きする等、う蝕の進行を防ぐ行動を実施することができる。この点、上述した特許文献１に記載された手法では、口腔全体のう蝕リスクしか算出されず、歯毎のう蝕リスクが算出されないため、ユーザはう蝕に罹患し易い歯を把握することができない。
【０００５】
本発明は上記実情に鑑みてなされたものであり、う蝕に罹患しやすい歯を高精度に予測することを目的とする。
【課題を解決するための手段】
【０００６】
本発明の一態様に係るう蝕予測システムは、ユーザの歯磨きに関する情報である歯磨き情報、及び、ユーザの歯列に関する情報である歯列情報の少なくともいずれか一方を含んだ口腔情報を取得する取得部と、取得部によって取得された口腔情報に基づいて、ユーザの各歯のう蝕リスクを算出する算出部と、算出部によって算出された、各歯のう蝕リスクを出力する出力部と、を備える。
【０００７】
本発明の一態様に係るう蝕予測システムでは、歯磨き情報及び歯列情報の少なくともいずれか一方を含んだ口腔情報が取得され、該口腔情報に基づきユーザの各歯のう蝕リスクが算出され、該う蝕リスクが出力される。口腔情報から歯毎にう蝕リスクが算出されるため、口腔全体のう蝕リスクが算出される場合と異なり、う蝕に罹患し易い歯を適切に予測することができる。また、本発明では、歯磨き情報及び歯列情報が考慮されてう蝕リスクが算出される。歯磨き情報及び歯列情報は、歯毎に示される情報であり、且つ、う蝕の罹患との関連度が大きい情報であるため、これらの情報を考慮してう蝕リスクを算出することにより、う蝕に罹患し易い歯を高精度に予測することができる。また、歯磨き情報及び歯列情報は、例えば歯ブラシ及びカメラ等を用いて容易に取得できる情報であるため、う蝕に罹患し易い歯を容易に予測することができる。
【０００８】
取得部は、歯磨き情報として、各歯の磨き度合いを示す情報を取得し、歯列情報として、口腔内の叢生の有無及び空隙の有無の少なくともいずれか一方に関する情報を取得し、算出部は、磨き度合いが低く、叢生が存在し、空隙が存在する歯ほど、う蝕リスクを高く算出してもよい。これにより、う蝕が発生し易い状態となっている歯（磨き度合いが低く、叢生が存在し、空隙が存在する歯）のう蝕リスクを適切に高くすることができ、う蝕に罹患し易い歯をより高精度に予測することができる。
【０００９】
取得部は、ユーザの飲食に関する情報である飲食情報を含んだ口腔情報を取得し、飲食情報として、所定期間内における飲食の回数を取得し、算出部は、飲食の回数が多いほど、う蝕リスクを高く算出してもよい。一般的に、飲食の回数が多いほどう蝕リスクが高くなる。このため、飲食の回数が多いほどう蝕リスクを高くすることにより、各歯のう蝕リスクをより高精度に算出することができる。
【００１０】
取得部は、歯磨き情報として、歯磨きを実施した時刻を取得し、飲食情報として、飲食を実施した時刻を取得し、算出部は、飲食を実施した時刻と、該飲食を実施した時刻以降の最初の歯磨きを実施した時刻との差が大きいほど、う蝕リスクを高く算出してもよい。一般的に、飲食を実施してから歯磨きを実施するまでの時間差が大きくなるほど、う蝕リスクが高くなる。このため、当該時間差が大きいほどう蝕リスクを高くすることにより、各歯のう蝕リスクをより高精度に算出することができる。
【００１１】
取得部は、ユーザの各歯のう蝕の度合いを示す情報を取得し、算出部は、う蝕の度合いが所定値よりも低い歯についてのみ、う蝕リスクを算出してもよい。う蝕の度合いが高い歯（すでにう蝕が進行している歯）については、う蝕リスク算出の対象から外すことにより、ユーザがう蝕リスクを把握したい歯のみをう蝕リスク算出の対象とすることができる。これにより、リスク算出の処理をより効率的に行うと共に、ユーザが必要な情報のみをユーザに提供することができる。
【発明の効果】
【００１２】
本発明によれば、う蝕に罹患しやすい歯を高精度に予測することができる。
【図面の簡単な説明】
【００１３】
【図１】本実施形態に係るう蝕リスク予測システムの機能構成を示すブロック図である。
【図２】図１に示される携帯端末のハードウェア構成を示す図である。
【図３】図１に示される携帯端末が行うう蝕リスク予測方法の一連の処理を示すフローチャートである。
【発明を実施するための形態】
【００１４】
以下、添付図面を参照しながら本発明の実施形態を詳細に説明する。図面の説明において、同一又は同等の要素には同一符号を用い、重複する説明を省略する。
【００１５】
図１は、本実施形態に係るう蝕リスク予測システム１（う蝕予測システム）の機能構成を示すブロック図である。う蝕リスク予測システム１は、ユーザの各歯のう蝕リスクを予測するシステムである。う蝕とは、口腔内の細菌であるプラークが出す酸によって歯質が溶かされ欠損した状態をいう。う蝕された歯をう歯（虫歯）という。う蝕リスクとは、う蝕の罹患しやすさ（う蝕に罹患しやすい程度）を示す情報である。う蝕リスクが高い歯ほど、う蝕に罹患しやすい。う蝕リスク予測システム１は、携帯端末１０と、サーバ装置５０とを備えている。携帯端末１０は、サーバ装置５０と通信可能に構成された通信端末であり、例えばスマートフォン又はタブレット端末等である。サーバ装置５０は、携帯端末１０と通信可能に構成されたサーバである。なお、図１においては、便宜上、１台のサーバ装置５０が１台の携帯端末１０と通信している状態を示すが、実際には、サーバ装置５０は、複数台の携帯端末１０と通信可能に構成されている。また、以下の説明において、「ユーザ」とは携帯端末１０を利用するユーザ（携帯端末１０の保持者）をいう。
【００１６】
携帯端末１０は、機能構成として、取得部１１と、口腔情報ＤＢ１２と、算出部１３と、出力部１４とを備えている。携帯端末１０は、例えば図２に示されるハードウェアによって構成されている。
【００１７】
図２は、携帯端末１０のハードウェア構成を示す図である。図２に示されるように、携帯端末１０は、物理的には、１又は複数のプロセッサ１００１、主記憶装置であるメモリ１００２、ハードディスク又は半導体メモリ等のストレージ１００３、ネットワークカード等のデータ送受信デバイスである通信装置１００４、入力装置１００５、及びディスプレイ等の出力装置１００６等を含むコンピュータシステムとして構成されている。図１に示される各機能は、図２に示されるメモリ１００２等のハードウェア上に所定のコンピュータソフトウェアを読み込ませることにより、プロセッサ１００１の制御のもとで入力装置１００５、出力装置１００６、及び通信装置１００４を動作させるとともに、メモリ１００２及びストレージ１００３におけるデータの読み出し及び書き込みを行うことにより実現される。
【００１８】
再び図１を参照して、携帯端末１０の各機能の詳細を説明する。
【００１９】
取得部１１は、ユーザ（すなわち、携帯端末１０を利用するユーザ）の口腔情報を取得する。口腔情報とは、口からのどまでの間の口の中の空間（口腔）に関する情報であり、口腔の状態を示す情報（例えば歯列情報）だけでなく、口腔で発生する事象に関する情報（例えば飲食情報）等の口腔に関わる種々の情報である。具体的には、取得部１１は、ユーザのう蝕情報と、歯磨き情報と、歯列情報と、飲食情報と、口内環境情報と、を含んだ口腔情報を取得する。
【００２０】
う蝕情報とは、ユーザの各歯におけるう蝕の度合いを示す情報である。う蝕の度合いは、例えば、う蝕の健康基準値により示される。う蝕の度合いが所定値よりも低い歯については、健康基準値において「健全」である（う蝕が進行していない）とされる。取得部１１は、例えば、ユーザの操作によって携帯端末１０のカメラ機能により撮像された口腔内の画像（各歯の画像）に基づき、各歯のう蝕基準値を取得する。この場合、取得部１１は、例えば画像認識技術を用いて、予め準備された、う蝕の度合い（進行レベル）に対応する健康基準値毎のう蝕状態を示す歯の画像と、撮像された口腔内の歯の画像とを比較することにより、撮像された各歯の状態に最も近い、う蝕の健康基準値を特定する。取得部１１は、例えば、携帯端末１０のアプリ上で、ユーザからう蝕の健康基準値の取得が指示されると共に口腔内の画像が指定された際に、う蝕の健康基準値の取得を行う。う蝕の健康基準値の取得間隔は、ユーザによって任意に決められるものであるが、例えば数週間〜数か月に一度程度とされる。なお、取得部１１は、歯科医の検診結果に基づきユーザ等によって携帯端末１０に入力された各歯のう蝕の健康基準値を取得してもよい。取得部１１は、取得したう蝕情報を口腔情報ＤＢ１２に格納する。
【００２１】
歯磨き情報とは、ユーザの歯磨きに関する情報である。歯磨き情報とは、例えば、各歯の磨き度合いを示す情報、及び、歯磨きを実施した時刻である。各歯の磨き度合いは、例えば、磨き度合いが低いほど小さい値となるスコアにより示される。取得部１１は、例えば、携帯端末１０のカメラ機能により撮像された口腔内の画像（各歯の画像）から取得される各歯の位置と、歯ブラシ６０本体に内蔵された加速度センサ又はジャイロセンサ等の測定結果から取得される口腔内における歯ブラシ６０の変位とに基づき、各歯の磨き度合いを取得する。なお、口腔内の画像は、歯ブラシ６０本体のカメラ機能により撮像されて携帯端末１０に送信されるものであってもよい。取得部１１は、歯ブラシ６０のタフト（毛束）部分の到達頻度が低いと考えられる歯ほど、磨き度合いが低いと判定する。取得部１１は、例えばブルートゥース（登録商標）通信により、歯ブラシ６０本体から上記測定結果を取得する。また、取得部１１は、例えば動作するタイミング（すなわち、歯ブラシ６０本体と通信を行うタイミング）の時刻を、上述した歯磨きを実施した時刻として取得する。或いは、取得部１１は、携帯端末１０のアプリ上でのユーザの入力によって、歯磨きを実施した時刻を取得してもよい。取得部１１は、取得した歯磨き情報を口腔情報ＤＢ１２に格納する。
【００２２】
歯列情報とは、ユーザの歯列に関する情報である。歯列情報とは、例えば、口腔内の叢生の有無及び空隙の有無に関する情報である。口腔内の叢生の有無及び空隙の有無に関する情報は、叢生及び空隙が存在する場合に高くなるスコアにより示される。取得部１１は、例えば、携帯端末１０のカメラ機能により撮像された口腔内の画像から取得される歯列に基づき、口腔内の叢生の有無及び空隙の有無に関する情報を取得する。この場合、取得部１１は、例えば画像認識技術を用いて、予め準備された、口腔内の叢生の及び空隙を示す画像と、撮像された口腔内の画像とを比較することにより、撮像された口腔内における叢生及び空隙の有無を判定する。取得部１１は、例えば、携帯端末１０のアプリ上で、ユーザから叢生等の有無に関する情報の取得が指示されると共に口腔内の画像が指定された際に、口腔内の叢生の有無及び空隙の有無に関する情報の取得を行う。口腔内の叢生の有無及び空隙の有無に関する情報の取得間隔は、ユーザによって任意に決められるものであるが、例えば数週間〜数か月に一度程度とされる。なお、取得部１１は、歯科医の検診結果に基づきユーザ等によって携帯端末１０に入力された口腔内の叢生の有無及び空隙の有無に関する情報を取得してもよい。取得部１１は、取得した歯列情報を口腔情報ＤＢ１２に格納する。
【００２３】
飲食情報とは、ユーザの飲食に関する情報である。飲食情報とは、例えば、所定期間内（例えば１日あたり）における飲食の回数、及び、飲食を実施した時刻である。取得部１１は、例えばユーザの腕に装着されたスマートウォッチ７０に内蔵された加速度センサ又はジャイロセンサ等の測定結果から、飲食のタイミングを特定することにより、所定期間内における飲食の回数を取得する。取得部１１は、例えば加速度センサ等の測定結果から、スマートウォッチ７０が連続的に口腔近傍に変位していると考えられる場合に、飲食のタイミングであると判定する。取得部１１は、例えばブルートゥース通信により、スマートウォッチ７０から上記測定結果を取得する。また、取得部１１は、例えば動作するタイミング（すなわち、スマートウォッチ７０と通信を行うタイミング）の時刻を、上述した飲食を実施した時刻として取得する。或いは、取得部１１は、携帯端末１０のアプリ上でのユーザの入力によって、飲食を実施した時刻を取得してもよい。取得部１１は、取得した飲食情報を口腔情報ＤＢ１２に格納する。
【００２４】
口内環境情報とは、ユーザの口内環境に関する情報であり、例えば、ユーザの唾液から特定されるミュータンス菌数、ｐＨ（水素イオン濃度を表す指標）、及び酸緩衝能等から導出される情報（スコア）である。ミュータンス菌数は、例えば酸化還元指示薬であるレサズリンを用いた検出法により計測される。また、ｐＨ及び酸緩衝能は、例えばｐＨ指示薬法により計測される。取得部１１は、ミュータンス菌数が多く、ｐＨ及び酸緩衝能が小さいほど、口内環境情報のスコアを大きくする。具体的には、取得部１１は、下記の（１）式により口内環境情報のスコアを算出する。下記（１）式において、ＯＥは口内環境情報のスコア、ＭＣはミュータンス菌数、ｐＨは水素イオン濃度を表す指標であるｐＨ、ＡＣは酸緩衝能、下付き文字のｕはユーザ毎の値であることを示す表記、ρ、σ、τは重み付け係数である。
【数１】
2019036188.tif 000003
【００２５】
なお、上記（１）式の重み付け係数ρ、σ、τとしては、予め定められた固定値を用いてもよいし、機械学習法等により随時最適化される値を用いてもよい。予め定められた固定値を用いる場合には、全ユーザ共通の固定値を用いてもよいし、ユーザ毎の固定値を用いてもよい。機械学習法等により最適化された値を用いる場合においても、全ユーザ共通の最適化された値を用いてもよいし、ユーザ毎に最適化された値を用いてもよい。機械学習技法としては、例えば、Ｌｏｇｉｓｔｉｃｓ  Ｒｅｇｒｅｓｓｉｏｎ、又は、Ｓｕｐｐｏｒｔ  Ｖｅｃｔｏｒ  Ｍａｃｈｉｎｅ（ＳＶＭ）等を適用することができる。取得部１１は、取得した口内環境情報を口腔情報ＤＢ１２に格納する。
【００２６】
口腔情報ＤＢ１２は、取得部１１によって格納された口腔情報を記憶するデータベースである。具体的には、口腔情報ＤＢ１２は、ユーザの口腔情報として、う蝕情報と、歯磨き情報と、歯列情報と、飲食情報と、口内環境情報とを記憶している。
【００２７】
算出部１３は、取得部１１によって取得された口腔情報に基づいて、ユーザの各歯のう蝕リスクを算出する。算出部１３は、例えば携帯端末１０のアプリ上でユーザから各歯のう蝕リスクの算出が指示された際に、各歯のう蝕リスクの算出を行う。或いは、算出部１３は、所定時間間隔で、各歯のう蝕リスクの算出を行ってもよい。
【００２８】
算出部１３は、最初に、リスク算出対象の歯を決定する。具体的には、算出部１３は、口腔情報ＤＢ１２からう蝕情報を取得し、各歯のうち、う蝕の度合いが所定値よりも低い歯（健康基準値において「健全」（う蝕が進行していない）とされている歯）のみをリスク算出対象の歯に決定する。
【００２９】
算出部１３は、リスク算出対象の各歯のう蝕リスクを算出する。算出部１３は、口腔情報ＤＢ１２から歯磨き情報、歯列情報、飲食情報、及び口内環境情報を取得し、これらの情報に基づいて、各歯のう蝕リスクを算出する。算出部１３は、歯磨き情報に基づき、磨き度合いが低い歯ほどう蝕リスクを高く算出する。算出部１３は、歯列情報に基づき、口腔内の叢生の及び空隙が存在する歯ほどう蝕リスクを高く算出する。算出部１３は、飲食情報に基づき、飲食の回数が多いほど、各歯のう蝕リスクを高く算出する。算出部１３は、口内環境情報に基づき、ミュータンス菌数、ｐＨ（水素イオン濃度を表す指標）、及び酸緩衝能等から導出されたスコアが高いほど、各歯のう蝕リスクを高く算出する。算出部１３は、飲食情報及び歯磨き情報に基づき、飲食を実施した時刻と、該飲食を実施した時刻以降の最初の歯磨きを実施した時刻との差が大きいほど、各歯のう蝕リスクを高く算出する。すなわち、算出部１３は、飲食をしてから歯磨きするまでの時間差が大きいほど、各歯のう蝕リスクを高く算出する。
【００３０】
具体的には、算出部１３は、以下の（２）式により各歯のう蝕リスクを算出する。下記（２）式において、ｒはう蝕リスク、ＰＴは磨き度合いを示すスコア、ＮＥは飲食の回数、ＲＴは叢生及び空隙の有無に応じたスコア、ＯＥは上述した（１）式により導出される口内環境情報のスコア、ＤＴは飲食を実施した時刻と、該飲食を実施した時刻以降の最初の歯磨きを実施した時刻との時間差、ｂは所定のバイアス、下付き文字のｕはユーザ毎の値であることを示す表記、下付き文字のｔは歯毎の値であることを示す表記、α、β、γ、δ、εは重み付け係数、ａ１〜ａ３はシグモイド関数における係数である。
【数２】
2019036188.tif 000004
【００３１】
なお、上記（２）式の重み付け係数α、β、γ、δ、εとしては、予め定められた固定値を用いてもよいし、機械学習法等により随時最適化される値を用いてもよい。予め定められた固定値を用いる場合には、全ユーザ共通の固定値を用いてもよいし、ユーザ毎の固定値を用いてもよい。機械学習法等により最適化された値を用いる場合においても、全ユーザ共通の最適化された値を用いてもよいし、ユーザ毎に最適化された値を用いてもよい。機械学習技法としては、例えば、Ｌｏｇｉｓｔｉｃｓ  Ｒｅｇｒｅｓｓｉｏｎ、又は、Ｓｕｐｐｏｒｔ  Ｖｅｃｔｏｒ  Ｍａｃｈｉｎｅ（ＳＶＭ）等を適用することができる。また、上記（２）式のシグモイド関数ａ１〜ａ３としては、例えば予め定められた固定値を用いてもよい。
【００３２】
算出部１３は、算出したう蝕リスクが所定の閾値よりも高い歯のう蝕リスクのみを出力部１４に出力する。すなわち、う歯（虫歯）となりやすい歯のう蝕リスクのみを出力部１４に出力する。また、算出部１３は、う蝕リスクを算出した全ての歯のう蝕リスクを、サーバ装置５０に送信する。
【００３３】
出力部１４は、算出部１３によって算出された、各歯のう蝕リスクを出力する。具体的には、出力部１４は、算出部１３に入力された歯のう蝕リスクを携帯端末１０のディスプレイに提示（表示）する。これにより、う蝕に罹患しやすい歯をユーザに知らせることができる。更に、出力部１４は、う蝕リスクと併せて、う蝕の進行を防ぐための生活及び行動のアドバイスを携帯端末１０のディスプレイに提示してもよい。具体的には、例えば右前歯のう蝕リスクが高い場合、出力部１４は、「上顎の右側の中切歯がう蝕になりやすいから入念に歯磨きをしよう」等のアドバイスを携帯端末１０のディスプレイに提示してもよい。なお、出力部１４は、各歯のう蝕リスク（う蝕に罹患しやすい歯に関する情報）を、ユーザ（携帯端末１０のディスプレイ）以外の、例えば医者等に知らせる機能を有していてもよい。
【００３４】
サーバ装置５０は、各ユーザの携帯端末１０から、各ユーザのう蝕リスクを受信する。また、サーバ装置５０は、各ユーザの携帯端末１０に対して、う蝕リスクの算出に用いる情報、具体的には、上述した（１）式及び（２）式における重み付け係数の値を送信してもよい。また、機械学習により当該重み付け係数が算出される場合には、サーバ装置５０自体が機械学習を行い、各種重み付け係数を算出してもよい。
【００３５】
次に、図３を参照して、携帯端末１０が行うう蝕リスク予測方法の一連の処理を説明する。図３は、携帯端末１０が行うう蝕リスク予測方法の一連の処理を示すフローチャートである。
【００３６】
まず、取得部１１によって、ユーザの口腔情報が取得される（ステップＳ１）。取得部１１は、ユーザのう蝕情報と、歯磨き情報と、歯列情報と、飲食情報と、口内環境情報と、を含んだ口腔情報を取得する。
【００３７】
つづいて、取得部１１によって、ユーザの口腔情報が口腔情報ＤＢ１２に格納される（ステップＳ２）。取得部１１は、口腔情報を取得したタイミングで口腔情報を口腔情報ＤＢ１２に格納してもよいし、所定の時間間隔で口腔情報を口腔情報ＤＢ１２に格納してもよい。
【００３８】
つづいて、算出部１３によってリスク算出対象の歯が決定される（ステップＳ３）。算出部１３は、口腔情報ＤＢ１２からう蝕情報を取得し、各歯のうち、う蝕の度合いが所定値よりも低い歯のみをリスク算出対象の歯に決定する。
【００３９】
つづいて、算出部１３によって、リスク算出対象の各歯のう蝕リスクが算出される（ステップＳ４）。算出部１３は、口腔情報ＤＢ１２から歯磨き情報、歯列情報、飲食情報、及び口内環境情報を取得し、これらの情報に基づいて、各歯のう蝕リスクを算出する。
【００４０】
つづいて、算出部１３によってユーザにう蝕リスクを提示する歯が決定される（ステップＳ５）。算出部１３は、算出したう蝕リスクが所定の閾値よりも高い歯のう蝕リスクのみを出力部１４に出力する。
【００４１】
つづいて、出力部１４によって各歯のう蝕リスクがユーザに提示される（ステップＳ６）。出力部１４は、算出部１３に入力された歯のう蝕リスクを携帯端末１０のディスプレイに提示する。更に、出力部１４は、う蝕リスクと併せて、う蝕の進行を防ぐための生活及び行動のアドバイスを携帯端末１０のディスプレイに提示する。
【００４２】
次に、本実施形態に係る携帯端末１０の作用効果について説明する。
【００４３】
本実施形態に係る携帯端末１０は、ユーザの歯磨きに関する情報である歯磨き情報、及び、ユーザの歯列に関する情報である歯列情報の少なくともいずれか一方を含んだ口腔情報を取得する取得部１１と、取得部１１によって取得された口腔情報に基づいて、ユーザの各歯のう蝕リスクを算出する算出部１３と、算出部１３によって算出された、各歯のう蝕リスクを出力する出力部１４と、を備える。
【００４４】
本実施形態に係る携帯端末１０では、歯磨き情報及び歯列情報の少なくともいずれか一方を含んだ口腔情報が取得され、該口腔情報に基づきユーザの各歯のう蝕リスクが算出され、該う蝕リスクが出力される。口腔情報から歯毎にう蝕リスクが算出されるため、口腔全体のう蝕リスクが算出される場合と異なり、う蝕に罹患し易い歯を適切に予測することができる。また、本発明では、歯磨き情報及び歯列情報が考慮されてう蝕リスクが算出される。歯磨き情報及び歯列情報は、歯毎に示される情報であり、且つ、う蝕の罹患との関連度が大きい情報であるため、これらの情報を考慮してう蝕リスクを算出することにより、う蝕に罹患し易い歯を高精度に予測することができる。
【００４５】
なお、歯毎のう蝕リスクを算出する方法としては、例えば、口腔内に複数のｐＨセンサ（各歯に対応させたｐＨセンサ）を設ける手法が考えられる。しかしながら、複数のｐＨセンサを口腔内に設ける手法は、ユーザの負担（口腔内に複数のｐＨセンサが設けられることによる負担）が大きいことが問題となる。この点、本実施形態に係る携帯端末１０では、例えば歯ブラシ及びカメラ等を用いて容易に取得できる情報である歯磨き情報及び歯列情報を用いているため、ユーザの負担を軽減しながら、う蝕に罹患し易い歯を容易に予測することができる。
【００４６】
取得部１１は、歯磨き情報として、各歯の磨き度合いを示す情報を取得し、歯列情報として、口腔内の叢生の有無及び空隙の有無に関する情報を取得し、算出部１３は、磨き度合いが低く、叢生が存在し、空隙が存在する歯ほど、う蝕リスクを高く算出する。これにより、う蝕が発生し易い状態となっている歯（磨き度合いが低く、叢生が存在し、空隙が存在する歯）のう蝕リスクを適切に高くすることができ、う蝕に罹患し易い歯をより高精度に予測することができる。
【００４７】
取得部１１は、ユーザの飲食に関する情報である飲食情報を含んだ口腔情報を取得し、飲食情報として、所定期間内における飲食の回数を取得し、算出部１３は、飲食の回数が多いほど、う蝕リスクを高く算出する。一般的に、飲食の回数が多いほどう蝕リスクが高くなる。このため、飲食の回数が多いほどう蝕リスクを高く算出することにより、各歯のう蝕リスクをより高精度に算出することができる。
【００４８】
取得部１１は、歯磨き情報として、歯磨きを実施した時刻を取得し、飲食情報として、飲食を実施した時刻を取得し、算出部１３は、飲食を実施した時刻と、該飲食を実施した時刻以降の最初の歯磨きを実施した時刻との差が大きいほど、う蝕リスクを高く算出する。一般的に、飲食を実施してから歯磨きを実施するまでの時間差が大きくなるほど、う蝕リスクが高くなる。このため、当該時間差が大きいほどう蝕リスクを高く算出することにより、各歯のう蝕リスクをより高精度に算出することができる。
【００４９】
取得部１１は、ユーザの各歯のう蝕の度合いを示す情報を取得し、算出部１３は、う蝕の度合いが所定値よりも低い歯についてのみ、う蝕リスクを算出する。う蝕の度合いが高い歯（すでにう蝕が進行している歯）については、う蝕リスク算出の対象から外すことにより、ユーザがう蝕リスクを把握したい歯のみをう蝕リスク算出の対象とすることができる。これにより、リスク算出の処理をより効率的に行うと共に、ユーザが必要な情報のみをユーザに提供することができる。
【００５０】
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線で）接続し、これら複数の装置により実現されてもよい。
【００５１】
例えば、上記実施形態における携帯端末１０等は、上記実施形態の携帯端末１０の処理を行うコンピュータとして機能してもよい。図２は、本実施形態に係る携帯端末１０のハードウェア構成の一例を示す図である。上述の携帯端末１０は、物理的には、プロセッサ１００１、メモリ１００２、ストレージ１００３、通信装置１００４、入力装置１００５、出力装置１００６、及びバス１００７等を含むコンピュータ装置として構成されてもよい。
【００５２】
なお、以下の説明では、「装置」という文言は、回路、デバイス、ユニット等に読み替えることができる。携帯端末１０のハードウェア構成は、図１に示された各装置を１つ又は複数含むように構成されてもよいし、一部の装置を含まずに構成されてもよい。
【００５３】
携帯端末１０における各機能は、プロセッサ１００１、メモリ１００２等のハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００５４】
プロセッサ１００１は、例えば、オペレーティングシステムを動作させてコンピュータ全体を制御する。プロセッサ１００１は、周辺装置とのインターフェース、制御装置、演算装置、レジスタ等を含む中央処理装置（ＣＰＵ：Central  Processing  Unit）で構成されてもよい。
【００５５】
また、プロセッサ１００１は、プログラム（プログラムコード）、ソフトウェアモジュール、及び／又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、携帯端末１０の取得部１１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されてもよい。
【００５６】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）等の少なくとも１つで構成されてもよい。メモリ１００２は、レジスタ、キャッシュ、メインメモリ（主記憶装置）等と呼ばれてもよい。メモリ１００２は、上記実施形態に係る楽器音認識方法を実施するために実行可能なプログラム（プログラムコード）、ソフトウェアモジュール等を保存することができる。
【００５７】
ストレージ１００３は、コンピュータ読み取り可能な記録媒体であり、例えば、ＣＤ−ＲＯＭ（Compact  Disc  ＲＯＭ）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つで構成されてもよい。ストレージ１００３は、補助記憶装置と呼ばれてもよい。上述の記憶媒体は、例えば、メモリ１００２及び／又はストレージ１００３を含むデータベース、サーバ、その他の適切な媒体であってもよい。
【００５８】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュール等ともいう。
【００５９】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、ＬＥＤランプ等）である。なお、入力装置１００５及び出力装置１００６は、一体となった構成（例えば、タッチパネル）であってもよい。
【００６０】
また、プロセッサ１００１及びメモリ１００２等の各装置は、情報を通信するためのバス１００７で接続される。バス１００７は、単一のバスで構成されてもよいし、装置間で異なるバスで構成されてもよい。
【００６１】
また、携帯端末１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）等のハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００６２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更された態様として実施することができる。したがって、本明細書の記載は、例示説明を目的とするものであり、本発明に対して何ら制限的な意味を有するものではない。
【００６３】
例えば、各歯のう蝕リスクの算出に用いる口腔情報として、ユーザのう蝕情報と、歯磨き情報と、歯列情報と、飲食情報と、口内環境情報とを用いるとして説明したがこれに限定されず、口腔情報には、歯磨き情報及び歯列情報の少なくともいずれか一方が含まれていればよい。
【００６４】
また、携帯端末１０がう蝕リスクを算出し出力するとして説明したがこれに限定されず、携帯端末１０と通信を行うサーバ（例えば図１に示すサーバ装置５０）が、各ユーザのう蝕リスクを算出してもよい。すなわち、携帯端末１０と通信を行うサーバが、上述した取得部１１、口腔情報ＤＢ１２、算出部１３、及び出力部１４に相当する機能を有していてもよい。
【００６５】
本明細書で説明した各態様／実施形態の処理手順、フローチャート等は、矛盾の無い限り、順序を入れ替えてもよい。例えば、本明細書で説明した方法については、例示的な順序で様々なステップの要素を提示しており、提示した特定の順序に限定されない。
【００６６】
入出力された情報等は特定の場所（例えば、メモリ）に保存されてもよいし、管理テーブルで管理されてもよい。入出力される情報等は、上書き、更新、又は追記され得る。出力された情報等は削除されてもよい。入力された情報等は他の装置へ送信されてもよい。
【００６７】
判定は、１ビットで表される値（０か１か）によって行われてもよいし、真偽値（Boolean：true又はfalse）によって行われてもよいし、数値の比較（例えば、所定の値との比較）によって行われてもよい。
【００６８】
本明細書で説明した各態様／実施形態は単独で用いられてもよいし、組み合わせて用いられてもよいし、実行に伴って切り替えて用いられてもよい。また、所定の情報の通知（例えば、「Ｘであること」の通知）は、明示的に行うものに限られず、暗黙的（例えば、当該所定の情報の通知を行わない）によって行われてもよい。
【００６９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能等を意味するよう広く解釈されるべきである。
【００７０】
また、ソフトウェア、命令等は、伝送媒体を介して送受信されてもよい。例えば、ソフトウェアが、同軸ケーブル、光ファイバケーブル、ツイストペア及びデジタル加入者回線（ＤＳＬ）等の有線技術及び／又は赤外線、無線及びマイクロ波等の無線技術を使用してウェブサイト、サーバ、又は他のリモートソースから送信される場合、これらの有線技術及び／又は無線技術は、伝送媒体の定義内に含まれる。
【００７１】
本明細書で説明した情報及び信号等は、様々な異なる技術のいずれかを使用して表されてもよい。例えば、上記の説明全体に渡って言及され得るデータ、命令、コマンド、情報、信号、ビット、シンボル、チップ等は、電圧、電流、電磁波、磁界若しくは磁性粒子、光場若しくは光子、又はこれらの任意の組み合わせによって表されてもよい。
【００７２】
なお、本明細書で説明した用語及び／又は本明細書の理解に必要な用語については、同一の又は類似する意味を有する用語と置き換えてもよい。
【００７３】
本明細書で使用する「システム」及び「ネットワーク」という用語は、互換的に使用される。
【００７４】
また、本明細書で説明した情報、パラメータ等は、絶対値で表されてもよいし、所定の値からの相対値で表されてもよいし、対応する別の情報で表されてもよい。
【００７５】
上述したパラメータに使用される名称はいかなる点においても限定的なものではない。さらに、これらのパラメータを使用する数式等は、本明細書で明示的に開示したものと異なる場合もある。
【００７６】
「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギー等の電磁エネルギーを使用することにより、互いに「接続」又は「結合」されると考えることができる。
【００７７】
本明細書で使用する「に基づいて」という記載は、別段に明記されていない限り、「のみに基づいて」を意味しない。言い換えれば、「に基づいて」という記載は、「のみに基づいて」と「に少なくとも基づいて」との両方を意味する。
【００７８】
本明細書で使用する「第１」、「第２」等の呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【００７９】
「含む（including）」、「含んでいる（comprising）」、及びそれらの変形が、本明細書あるいは特許請求の範囲で使用されている限り、これら用語は、用語「備える」と同様に、包括的であることが意図される。さらに、本明細書あるいは特許請求の範囲において使用されている用語「又は（or）」は、排他的論理和ではないことが意図される。
【００８０】
本明細書において、文脈又は技術的に明らかに１つのみしか存在しない装置であることが示されていなければ、複数の装置をも含むものとする。
【符号の説明】
【００８１】
１…う蝕リスク予測システム（う蝕予測システム）、１０…携帯端末、１１…取得部、１３…算出部、１４…出力部。
【図１】
2019036188.tif 000005
【図２】
2019036188.tif 000006
【図３】
2019036188.tif 000007